(57)【要約】【課題】本発明は、バックアップ電源用電池の電池消費を可能な限り抑制して、電池の残量を常時表示することができる電源監視装置を提供する。【解決手段】本電源監視装置は、正常時に電力供給先に電力を供給する主電源１と、主電源１による電力の供給が実質的に行われていない異常時に電力を供給するバックアップ電源用電池２とを有し、主電源１の出力電圧よりもバックアップ電源用電池２の出力電圧の方が高くなった場合に、バックアップ電源用電池２から電力供給先３に電力を供給するシステムを監視し、バックアップ電源用電池２の残量を検出する電池残量検出部４と、検出された電池残量を表示する表示部５と、バックアップ電源用電池２から電池残量検出部４への電力供給を開閉するスイッチ部１３と、スイッチ部１３の開閉動作を制御する制御部６とを有する。【選択図】　図１
2004032950.tif 000002
【特許請求の範囲】
【請求項１】
正常時に電力供給先に電力を供給する主電源と、前記主電源による電力の供給が実質的に行われていない異常時に電力を供給するバックアップ電源用電池とを有し、前記主電源の出力電圧よりもバックアップ電源用電池の出力電圧の方が高くなった場合に、バックアップ電源用電池から電力供給先に電力を供給するシステムを監視する電源監視装置において、
前記バックアップ電源用電池の残量を検出する電池残量検出部と、
前記電池残量検出部によって検出された前記バックアップ電源用電池の残量を表示する表示部と、
前記バックアップ電源用電池から前記電池残量検出部への電力供給を開閉するスイッチ部と、
前記スイッチ部の開閉動作を制御する制御部と、
を有することを特徴とする電源監視装置。
【請求項２】
前記制御部は、前記スイッチ部の開閉時間を設定する手段を有することを特徴とする請求項１に記載の電源監視装置。
【請求項３】
前記主電源と電力供給先との間に設けられ、バックアップ電源用電池から主電源への逆流を防止するための第１のダイオードと、
前記バックアップ電源用電池と電力供給先との間に設けられ、主電源からバックアップ電源用電池への逆流を防止する第２のダイオードとを有し、
前記スイッチ部は、前記第２のダイオードのアノード側と電池残量検出部との間に設けられている、
ことを特徴とする請求項１又は２に記載の電源監視装置。
【請求項４】
正常時に電力供給先に電力を供給する主電源と、前記主電源による電力の供給が実質的に行われていない異常時に電力を供給するバックアップ電源用電池とを有し、前記主電源の出力電圧よりもバックアップ電源用電池の出力電圧の方が高くなった場合に、バックアップ電源用電池から電力供給先に電力を供給するシステムを監視する電源監視装置において、
前記主電源による電力の供給が行われているか否かを検出する主電源動作検出部と、
前記主電源動作検出部により、前記主電源による電力の供給が行われていないことを検出した場合、前記バックアップ電源用電池の残量を検出し、かつ、前記バックアップ電源用電池から電力供給される電池残量検出部と、
前記電池残量検出部によって検出された前記バックアップ電源用電池の残量を表示する表示部と、
前記バックアップ電源用電池の電池残量データを記憶する記憶部とを有し、
前記表示部は、異常時から正常時に復旧する直前の前記記憶部に記憶されている電池残量データを正常時に表示する、
ことを特徴とする電源監視装置。
【請求項５】
前記表示部の電池残量データの表示をクリアする手段を有することを特徴とする請求項４に記載の電源監視装置。
【請求項６】
前記主電源と電力供給先との間に設けられ、バックアップ電源用電池から主電源への逆流を防止するための第１のダイオードと、
前記バックアップ電源用電池と電力供給先との間に設けられ、主電源からバックアップ電源用電池への逆流を防止する第２のダイオードとを有し、
前記第１のダイオードのカソード側の電位と前記第２のダイオードのカソード側の電位が同電位であり、
前記電池残量検出部は、前記第２のダイオードのカソード側に接続されている、
ことを特徴とする請求項４又は５に記載の電源監視装置。
【請求項７】
前記表示部は、前記バックアップ電源用電池の残量が基準値以下のアラームレベルの場合、アラーム表示を行うことを特徴とする請求項１乃至６のいずれか１つの項に記載の電源監視装置。
【請求項８】
正常時に電力供給先に電力を供給する主電源と、前記主電源による電力の供給が実質的に行われていない異常時に電力を供給するバックアップ電源用電池とを有し、前記主電源の出力電圧よりもバックアップ電源用電池の出力電圧の方が高くなった場合に、バックアップ電源用電池から電力供給先に電力を供給するシステムを監視する電源監視方法において、
前記バックアップ電源用電池の残量を前記電池残量検出部により検出するステップと、
前記電池残量検出部により検出された前記バックアップ電源用電池の残量を表示部に表示するステップと、
前記バックアップ電源用電池から前記電池残量検出部への電力供給をスイッチ部により開閉するステップと、
前記スイッチ部の開閉動作を制御するステップと、
を有することを特徴とする電源監視方法。
【請求項９】
正常時に電力供給先に電力を供給する主電源と、前記主電源による電力の供給が実質的に行われていない異常時に電力を供給するバックアップ電源用電池とを有し、前記主電源の出力電圧よりもバックアップ電源用電池の出力電圧の方が高くなった場合に、バックアップ電源用電池から電力供給先に電力を供給するシステムを監視する電源監視方法において、
前記主電源による電力の供給が行われているか否かを検出するステップと、
前記主電源による電力の供給が行われていないことを検出した場合、前記バックアップ電源用電池の残量を電池残量検出部に検出し、かつ、前記バックアップ電源用電池から電池残量検出部に電力供給されるステップと、
前記電池残量検出部によって検出された前記バックアップ電源用電池の残量を表示部に表示するステップと、
前記バックアップ電源用電池の電池残量データを記憶部に記憶するステップとを有し、
異常時から正常時に復旧する直前の前記記憶部に記憶されている電池残量データを正常時に前記表示部に表示する、
ことを特徴とする電源監視方法。
【請求項１０】
正常時に電力供給先に電力を供給する主電源と、前記主電源による電力の供給が実質的に行われていない異常時に電力を供給するバックアップ電源用電池とを有し、前記主電源の出力電圧よりもバックアップ電源用電池の出力電圧の方が高くなった場合に、バックアップ電源用電池から電力供給先に電力を供給するシステムを監視する電源監視装置を制御するプログラムにおいて、
前記バックアップ電源用電池の残量を前記電池残量検出部により検出させる処理と、
前記電池残量検出部により検出された前記バックアップ電源用電池の残量を表示部に表示させる処理と、
前記バックアップ電源用電池から前記電池残量検出部への電力供給をスイッチ部により開閉させる処理と、
前記スイッチ部の開閉動作を制御する処理と、
をコンピュータに実行させることを特徴とするプログラム。
【請求項１１】
正常時に電力供給先に電力を供給する主電源と、前記主電源による電力の供給が実質的に行われていない異常時に電力を供給するバックアップ電源用電池とを有し、前記主電源の出力電圧よりもバックアップ電源用電池の出力電圧の方が高くなった場合に、バックアップ電源用電池から電力供給先に電力を供給するシステムを監視する電源監視装置を制御するプログラムにおいて、
前記主電源による電力の供給が行われているか否かを検出する処理と、
前記主電源による電力の供給が行われていないことを検出した場合、前記バックアップ電源用電池の残量を、前記バックアップ電源用電池から電力供給される電池残量検出部に検出させる処理と、
前記電池残量検出部によって検出された前記バックアップ電源用電池の残量を表示部に表示させる処理と、
前記バックアップ電源用電池の電池残量データを記憶部に記憶させる処理と、
異常時から正常時に復旧する直前の前記記憶部に記憶されている電池残量データを正常時に前記表示部に表示させる処理と、
をコンピュータに実行させることを特徴とするプログラム。
【発明の詳細な説明】
【０００１】
【発明の属する技術分野】
本発明は、電源監視装置、電源監視方法及びプログラムに関し、特に、正常時に電力供給先に電力を供給する主電源と、主電源による電力の供給が実質的に行われていない異常時に電力を供給するバックアップ電源用電池とを有するシステムを監視し、バックアップ電源用電池の残量を表示する電源監視装置、電源監視方法及びプログラムに関する。
【０００２】
【従来の技術】
図７は、従来例１の電源監視装置を説明するためのブロック図である。図７に示すように、従来例１の電源監視装置は、正常時に電力供給先３に電力を供給するＡＣ／ＤＣ電源である主電源１と、主電源１による電力の供給が実質的に行われていない異常時に電力を供給するバックアップ電源用電池２とを有し、主電源１の出力電圧（ＡＣ／ＤＣ電源出力電圧）よりもバックアップ電源用電池２の出力電圧（ＤＣ出力電圧）の方が高くなった場合に、バックアップ電源用電池２から電力供給先３に電力を供給するシステムを監視するものである。
【０００３】
従来例１の電源監視装置は、バックアップ電源用電池２の残量を検出する電池残量検出部４と、電池残量検出部４によって検出されたバックアップ電源用電池２の残量を表示する表示部５と、電池残量検出部４の動作を制御する制御部６と、各種情報を記憶する記憶部７（メモリ）とを有する。
【０００４】
主電源１と電力供給先３との間には、バックアップ電源用電池２から主電源１への逆流を防止するための第１のダイオード８が設けられている。また、バックアップ電源用電池２と電力供給先３との間には、主電源１からバックアップ電源用電池２への逆流を防止する第２のダイオード９が設けられている。
【０００５】
制御部６は、プログラム命令を解釈し、実行するＣＰＵ１０（Ｃｅｎｔｒａｌ　Ｐｒｏｃｅｓｓｉｎｇ　Ｕｎｉｔ）と、ＣＰＵ１０と電池残量検出部４との間で情報のやり取りを行うＩ／Ｏ（Ｉｎｐｕｔ／Ｏｕｔｐｕｔ）ポート１１とを有する。また、ＣＰＵ１０、Ｉ／Ｏポート１１、表示部５及び記憶部７はバス１２を介して接続されている。
【０００６】
図８は従来例１の電源監視装置の動作を説明するためのフローチャートである。
【０００７】
まず、表示部５における電池の残量の表示を初期化する（ステップＣ１）。
【０００８】
次いで、制御部６は、主電源１が正常に電力を電力供給先３に供給しているか否かを検出する（ステップＣ２）。
【０００９】
表示部５に電池の残量の表示させる（ステップＣ３）。
【００１０】
次いで、制御部６は、電池の残量が基準値以下のアラームレベルにあるか否かを判定し（ステップＣ４）、電池の残量がアラームレベルにある場合には、表示部５にアラーム表示させる（ステップＣ５）。
【００１１】
図９は、従来例２の電源監視装置を説明するためのブロック図である。図９に示す従来例２の電源監視装置では、電池残量検出部４が第２のダイオード９のカソード側に接続され、第１のダイオード８のカソード側の電位と第２のダイオード９のカソード側の電位が同電位である点、及び制御部６のＩ／Ｏポート１１が主電源１の動作検出を行う点が、従来例１の電源監視装置と異なる。
【００１２】
図１０は、従来例２の電源監視装置の動作を説明するためのフローチャートである。
【００１３】
まず、表示部５における電池の残量の表示を初期化する（ステップＤ１）。
【００１４】
次いで、制御部６は、主電源１が正常に電力を電力供給先３に供給しているか否かを検出する（ステップＤ２）。
【００１５】
主電源１が電力を供給していない場合には、制御部６は、電池残量検出部４に、バックアップ電源用電池２である電池の残量を検出させる（ステップＤ３）。
【００１６】
次いで、電池残量検出部４によって検出されたバックアップ電源用電池２の残量は、表示部５により表示される（ステップＤ４）。
【００１７】
次いで、制御部６は、電池の残量が基準値以下のアラームレベルにあるか否かを判定し（ステップＤ５）、電池の残量がアラームレベルにある場合には、表示部５にアラーム表示させる（ステップＤ６）。
【００１８】
なお、特開平３−６７１８０号公報には、一定時間内にバッテリの電圧をサンプリングして、サンプリング結果に基づいて、バッテリの電圧損失特性を予測し、バッテリの適切な交換時期を通知するバッテリダウン検知方法が開示されている。
【００１９】
【発明が解決しようとする課題】
従来例１では、電池の残量を常時表示することができるが、電池残量検出部４に常時電力供給しているため、バックアップ電源用電池２を多く消費してしまうという課題がある。
【００２０】
また、従来例２では、バックアップ電源用電池２から電力供給先３に電力供給されている異常時にだけ、電池残量検出部４が電池の残量を検出できるようになっているが、主電源１から電力供給先３に電力供給されている正常時には、電池残量検出部４に電力供給されないため、電池の残量を表示できないという課題がある。
【００２１】
また、特開平３−６７１８０号公報には、バックアップ電源用電池の電池消費を可能な限り抑制して、電池の残量を常時表示する点については何ら開示されておらず、それを示唆する記載もない。
【００２２】
本発明は、上記課題を解決するために、バックアップ電源用電池の電池消費を可能な限り抑制して、電池の残量を常時表示することができる電源監視装置、電源監視方法及びプログラムを提供することを目的とする。
【００２３】
【課題を解決するための手段】
本発明の電源監視装置は、正常時に電力供給先に電力を供給する主電源と、前記主電源による電力の供給が実質的に行われていない異常時に電力を供給するバックアップ電源用電池とを有し、前記主電源の出力電圧よりもバックアップ電源用電池の出力電圧の方が高くなった場合に、バックアップ電源用電池から電力供給先に電力を供給するシステムを監視する電源監視装置において、前記バックアップ電源用電池の残量を検出する電池残量検出部と、前記電池残量検出部によって検出された前記バックアップ電源用電池の残量を表示する表示部と、前記バックアップ電源用電池から前記電池残量検出部への電力供給を開閉するスイッチ部と、前記スイッチ部の開閉動作を制御する制御部とを有することを特徴とするものである。
【００２４】
前記制御部は、前記スイッチ部の開閉時間を設定する手段を有してもよい。
【００２５】
前記主電源と電力供給先との間に設けられ、バックアップ電源用電池から主電源への逆流を防止するための第１のダイオードと、前記バックアップ電源用電池と電力供給先との間に設けられ、主電源からバックアップ電源用電池への逆流を防止する第２のダイオードとを有し、前記スイッチ部は、前記第２のダイオードのアノード側と電池残量検出部との間に設けられていてもよい。
【００２６】
本発明の他の電源監視装置は、正常時に電力供給先に電力を供給する主電源と、前記主電源による電力の供給が実質的に行われていない異常時に電力を供給するバックアップ電源用電池とを有し、前記主電源の出力電圧よりもバックアップ電源用電池の出力電圧の方が高くなった場合に、バックアップ電源用電池から電力供給先に電力を供給するシステムを監視する電源監視装置において、前記主電源による電力の供給が行われているか否かを検出する主電源動作検出部と、前記主電源動作検出部により、前記主電源による電力の供給が行われていないことを検出した場合、前記バックアップ電源用電池の残量を検出し、かつ、前記バックアップ電源用電池から電力供給される電池残量検出部と、前記電池残量検出部によって検出された前記バックアップ電源用電池の残量を表示する表示部と、前記バックアップ電源用電池の電池残量データを記憶する記憶部とを有し、前記表示部は、異常時から正常時に復旧する直前の前記記憶部に記憶されている電池残量データを正常時に表示することを特徴とするものである。
【００２７】
前記表示部の電池残量データの表示をクリアする手段を有してもよい。
【００２８】
前記主電源と電力供給先との間に設けられ、バックアップ電源用電池から主電源への逆流を防止するための第１のダイオードと、前記バックアップ電源用電池と電力供給先との間に設けられ、主電源からバックアップ電源用電池への逆流を防止する第２のダイオードとを有し、前記第１のダイオードのカソード側の電位と前記第２のダイオードのカソード側の電位が同電位であり、前記電池残量検出部は、前記第２のダイオードのカソード側に接続されていてもよい。
【００２９】
前記表示部は、前記バックアップ電源用電池の残量が基準値以下のアラームレベルの場合、アラーム表示を行ってもよい。
【００３０】
本発明の電源監視方法は、正常時に電力供給先に電力を供給する主電源と、前記主電源による電力の供給が実質的に行われていない異常時に電力を供給するバックアップ電源用電池とを有し、前記主電源の出力電圧よりもバックアップ電源用電池の出力電圧の方が高くなった場合に、バックアップ電源用電池から電力供給先に電力を供給するシステムを監視する電源監視方法において、前記バックアップ電源用電池の残量を前記電池残量検出部により検出するステップと、前記電池残量検出部により検出された前記バックアップ電源用電池の残量を表示部に表示するステップと、前記バックアップ電源用電池から前記電池残量検出部への電力供給をスイッチ部により開閉するステップと、前記スイッチ部の開閉動作を制御するステップとを有することを特徴とするものである。
【００３１】
本発明の他の電源監視方法は、正常時に電力供給先に電力を供給する主電源と、前記主電源による電力の供給が実質的に行われていない異常時に電力を供給するバックアップ電源用電池とを有し、前記主電源の出力電圧よりもバックアップ電源用電池の出力電圧の方が高くなった場合に、バックアップ電源用電池から電力供給先に電力を供給するシステムを監視する電源監視方法において、前記主電源による電力の供給が行われているか否かを検出するステップと、前記主電源による電力の供給が行われていないことを検出した場合、前記バックアップ電源用電池の残量を電池残量検出部に検出し、かつ、前記バックアップ電源用電池から電池残量検出部に電力供給されるステップと、前記電池残量検出部によって検出された前記バックアップ電源用電池の残量を表示部に表示するステップと、前記バックアップ電源用電池の電池残量データを記憶部に記憶するステップとを有し、異常時から正常時に復旧する直前の前記記憶部に記憶されている電池残量データを正常時に前記表示部に表示することを特徴とするものである。
【００３２】
本発明のプログラムは、正常時に電力供給先に電力を供給する主電源と、前記主電源による電力の供給が実質的に行われていない異常時に電力を供給するバックアップ電源用電池とを有し、前記主電源の出力電圧よりもバックアップ電源用電池の出力電圧の方が高くなった場合に、バックアップ電源用電池から電力供給先に電力を供給するシステムを監視する電源監視装置を制御するプログラムにおいて、前記バックアップ電源用電池の残量を前記電池残量検出部により検出させる処理と、前記電池残量検出部により検出された前記バックアップ電源用電池の残量を表示部に表示させる処理と、前記バックアップ電源用電池から前記電池残量検出部への電力供給をスイッチ部により開閉させる処理と、前記スイッチ部の開閉動作を制御する処理とをコンピュータに実行させることを特徴とするものである。
【００３３】
本発明の他のプログラムは、正常時に電力供給先に電力を供給する主電源と、前記主電源による電力の供給が実質的に行われていない異常時に電力を供給するバックアップ電源用電池とを有し、前記主電源の出力電圧よりもバックアップ電源用電池の出力電圧の方が高くなった場合に、バックアップ電源用電池から電力供給先に電力を供給するシステムを監視する電源監視装置を制御するプログラムにおいて、前記主電源による電力の供給が行われているか否かを検出する処理と、前記主電源による電力の供給が行われていないことを検出した場合、前記バックアップ電源用電池の残量を、前記バックアップ電源用電池から電力供給される電池残量検出部に検出させる処理と、前記電池残量検出部によって検出された前記バックアップ電源用電池の残量を表示部に表示させる処理と、前記バックアップ電源用電池の電池残量データを記憶部に記憶させる処理と、異常時から正常時に復旧する直前の前記記憶部に記憶されている電池残量データを正常時に前記表示部に表示させる処理とをコンピュータに実行させることを特徴とするものである。
【００３４】
本発明によれば、バックアップ電源用電池用の電池の消費を可能な限り抑制して、電池の残量を常時表示することができる
【発明の実施の形態】
以下、本発明の実施の形態について図面を参照して説明する。図１は、本発明の第１の実施形態例に係る電源監視装置を説明するためのブロック図である。
【００３５】
図１に示すように、本発明の第１の実施形態例に係る電源監視装置は、正常時に電力供給先３に電力を供給するＡＣ／ＤＣ電源である主電源１と、主電源１による電力の供給が実質的に行われていない異常時に電力を供給するバックアップ電源用電池２とを有し、主電源１の出力電圧（ＡＣ／ＤＣ電源出力電圧）よりもバックアップ電源用電池２の出力電圧（ＤＣ出力電圧）の方が高くなった場合に、バックアップ電源用電池２から電力供給先３に電力を供給するシステムを監視するものである。
【００３６】
本発明の第１の実施形態例に係る電源監視装置は、バックアップ電源用電池２の残量を検出する電池残量検出部４と、電池残量検出部４によって検出されたバックアップ電源用電池２の残量を表示する表示部５と、バックアップ電源用電池２から電池残量検出部４への電力供給を開閉するスイッチ部１３と、電池残量検出部４及びスイッチ部１３の動作を制御する制御部６と、各種情報を記憶する記憶部７（メモリ）とを有する。
【００３７】
主電源１と電力供給先３との間には、バックアップ電源用電池２から主電源１への逆流を防止するための第１のダイオード８が設けられている。また、バックアップ電源用電池２と電力供給先３との間には、主電源１からバックアップ電源用電池２への逆流を防止する第２のダイオード９が設けられている。
【００３８】
電池残量検出部４は、第２のダイオード９のアノード側に接続され、バックアップ電源用電池２から電力供給されている。
【００３９】
スイッチ部１３は、電池残量検出部４と第２のダイオード９のアノード側との間に配置されている。
【００４０】
制御部６は、プログラム命令を解釈し、実行するＣＰＵ１０と、ＣＰＵ１０と電池残量検出部４及びスイッチ部１３との間で情報のやり取りを行うＩ／Ｏポート１１とを有する。また、ＣＰＵ１０、Ｉ／Ｏポート１１、表示部５及び記憶部７はバス１２を介して接続されている。
【００４１】
本実施形態例では、正常時には、主電源１の出力電圧＞バックアップ電源用電池２の出力電圧であるため、主電源１の出力電圧によりシステムは動作している。ここで、システムに対する主電源１の電力供給が停止した場合、バックアップ電源用電池２により動作することになる。
【００４２】
このようなシステムにおいて、バックアップ電源用電池２の電力を極力抑え、かつ、電池の残量を表示部５に表示させ、システム運用者に対して電池残量情報を提供するために、以下のような動作を制御部６が制御する。
【００４３】
すなわち、スイッチ部１３は、基本的には開放モードとなっている。ＣＰＵ１０は、Ｉ／Ｏポート１１を周期的に制御することにより、スイッチ部１３の開閉動作を実行する。また、このスイッチ部１３を閉じた時に電池残量検出部４は、電池の残量の検出し、その結果を表示部５に表示させる。
【００４４】
制御部６によるスイッチ部１３の開閉時間は固定されていてもよいが、適宜変更して設定できる手段（例えばカウンタ）を有するのが好ましい。スイッチ部１３を開放している時間を長くすることにより、電池残量検出部４での電池電力消費時間を短くすることが可能となる。
【００４５】
図２は本発明の第１の実施形態例の電源監視装置の動作を説明するためのフローチャートである。
【００４６】
まず、ステップＡ１の「電池電圧監視スタート」は、制御部６が立ち上がり、ＣＰＵ１０によるシステム内部動作制御が可能となった時点である。
【００４７】
ここで、まず、制御部６は電池電圧表示の初期化を行う（ステップＡ２）。
【００４８】
次いで、スイッチ部１３を動作させるためのタイマを初期化する（ステップＡ３）。ここでの初期化値は、基本的にはシステム管理者が自由に設定できる値である。
【００４９】
次いで、カウンターを減算していく（ステップＡ４）。ここで、タイマカウント値が”０”とならない限りは、単純な減算処理のみ行われる（ステップＡ５）。タイマカウント値＝０というのは、システム管理者が設定した時間経過したということを意味している。
【００５０】
周期的な一定時間経過後、制御部６はスイッチ部１３を閉じるように動作させる（ステップＡ６）。これにより、バックアップ電源用電池２から電池残量検出部４に電力が供給される。スイッチ部１３が閉じられなければ、このシステムに於いて、電池の電力は消費されない。電池残量検出部４に電力が供給されることで、電池残量検出部４は、バックアップ電源用電池２の残量を検出し（ステップＡ７）、制御部６のＩ／Ｏポート１１には、現在の電池の残量がどの程度であるかが入力される。
【００５１】
次いで、制御部６は、スイッチ部１３を開放し（ステップＡ８）、表示部５に電池の残量の表示させる（ステップＡ９）。
【００５２】
次いで、制御部６は、電池の残量が基準値以下のアラームレベルにあるか否かを判定し（ステップＡ１０）、電池の残量がアラームレベルにある場合には、表示部５にアラーム表示させる（ステップＡ１１）。
【００５３】
本発明の第１の実施形態例によれば、制御部６によりスイッチ部１３の開閉を制御して、スイッチ部１３を開放している時間を長くすることにより、バックアップ電源用電池２の電力消費時間を短くすることができ、かつ、表示部５に電池の残量を表示させることができる。
【００５４】
図３は、本発明の第２の実施形態例に係る電源監視装置を説明するためのブロック図である。
【００５５】
図３に示すように、第２の実施形態例に係る電源監視装置では、スイッチ部１３がない点、電池残量検出部４が第２のダイオード９のカソード側に接続され、第１のダイオード８のカソード側の電位と第２のダイオード９のカソード側の電位が同電位である点、及び制御部６のＩ／Ｏポート１１が主電源１の動作検出を行う点、記憶部７がバックアップ電源用電池２の電池残量データを記憶する点、表示部５は、異常時から正常時に復旧する直前の記憶部７に記憶されている電池残量データを正常時に表示する点が異なる。
【００５６】
また、第２の実施形態例の電源監視装置は、表示部５の電池残量データの表示をクリアする電池残量表示クリアスイッチ１４を有する。
【００５７】
第２の実施形態例は、バックアップ電源用電池２の出力電圧情報を厳密に要求しないシステムにおいて、さらに安価な手法により、ある程度適切な（ＤＣ）出力電圧情報を表示させることが可能なように工夫している。本実施形態例が用いられる前提条件は、「安価な手法であること」，「主電源１の供給断が年に数回程度発生すること」，「表示されている電池残量にそれほど厳密性が要求されないシステムであること」である。
【００５８】
図４は本発明の第２の実施形態例の電源監視装置の動作を説明するためのフローチャートである。
【００５９】
まず、ステップＢ１の「電池電圧監視スタート」は、制御部６が立ち上がり、ＣＰＵ１０によるシステム内部動作制御が可能となった時点である。
【００６０】
ここで、まず、制御部６は電池電圧表示の初期化を行う（ステップＢ２）。
【００６１】
次いで、制御部６は、電池残量表示クリアスイッチ１４が押されているかを判断する（ステップＢ３）。ここで、電池残量表示クリアスイッチ１４をシステム管理者が押すタイミングとしては、例えばバックアップ電源用電池２を交換する時である。電池交換時は、電池電圧表示の初期化を行いシステムとして規定の電圧値を表示させることとなる。
【００６２】
次いで、制御部６は、主電源１が正常に電力を電力供給先３に供給しているか否かを検出する（ステップＢ４）。
【００６３】
主電源１が電力を供給していない場合には、制御部６は、電池残量検出部４に、バックアップ電源用電池２である電池の残量を検出させる（ステップＢ５）。
【００６４】
次いで、電池残量検出部４によって検出されたバックアップ電源用電池２の残量は、表示部５により表示される（ステップＢ６）。
【００６５】
次いで、制御部６は、電池の残量が基準値以下のアラームレベルにあるか否かを判定し（ステップＢ７）、電池の残量がアラームレベルにある場合には、表示部５にアラーム表示させる（ステップＢ８）。
【００６６】
主電源１が電力を供給している場合には、電池残量値及びアラーム状態を記憶部７に記憶させる（ステップＢ９）。
【００６７】
なお、第２の実施形態例では、前述したように「主電源１供給断が年に数回程度発生すること」、つまり、例えば停電が発生すること等が前提条件の処理となっている。制御部６は、停電が発生したときの電池残量を周期的に読み込み、その値を表示部５に表示させる。また、次回の停電まで、現在の停電が復旧する直前の電池残量値を表示部５に表示させ、かつ記憶部７に記憶させる。
【００６８】
第２の実施形態例によれば、バックアップ電源用電池２から電力供給先３に電力供給されている異常時にだけ、電池残量検出部４が電池の残量を検出するので、バックアップ電源用電池２用の電池の消費を抑制することができ、かつ、主電源１から電力供給先３に電力供給されている正常時にも、表示部５は電池残量を表示することができる。
【００６９】
また、スイッチ部１３を必要としないので、第１の実施形態例に比べ構成が簡単になり、安価なシステムを構築できる。
【００７０】
図５は、本発明の第３の実施の形態を説明するための説明図である。図５に示すように、本発明の第３の実施の形態は、第１の実施の形態で説明された制御部６の動作をコンピュータに実行させるためのプログラム１５に関する。このプログラム１５は、磁気ディスク、ＣＤ−ＲＯＭ、半導体メモリ等の記録媒体に記録されていてもよく、通信ネットワークを介してダウンロードされるものでもよい。
【００７１】
図６は、本発明の第４の実施の形態を説明するための説明図である。図６に示すように、本発明の第４の実施の形態は、第２の実施の形態で説明された制御部６の動作をコンピュータに実行させるためのプログラム１６に関する。このプログラム１６は、磁気ディスク、ＣＤ−ＲＯＭ、半導体メモリ等の記録媒体に記録されていてもよく、通信ネットワークを介してダウンロードされるものでもよい。
【００７２】
本発明は、上記実施の形態に限定されることはなく、特許請求の範囲に記載された技術的事項の範囲内において、種々の変更が可能である。
【００７３】
【発明の効果】
本発明によれば、バックアップ電源用電池用の電池の消費を可能な限り抑制して、電池の残量を常時表示することができる電源監視装置、電源監視方法及びプログラムを提供することができる。
【図面の簡単な説明】
【図１】本発明の第１の実施形態例に係る電源監視装置を説明するためのブロック図である。
【図２】本発明の第１の実施形態例の電源監視装置の動作を説明するためのフローチャートである。
【図３】本発明の第２の実施形態例に係る電源監視装置を説明するためのブロック図である。
【図４】本発明の第２の実施形態例の電源監視装置の動作を説明するためのフローチャートである。
【図５】本発明の第３の実施の形態を説明するための説明図である。
【図６】本発明の第４の実施の形態を説明するための説明図である。
【図７】従来例１の電源監視装置を説明するためのブロック図である。
【図８】従来例１の電源監視装置の動作を説明するためのフローチャートである。
【図９】従来例２の電源監視装置を説明するためのブロック図である。
【図１０】従来例２の電源監視装置の動作を説明するためのフローチャートである。
【符号の説明】
１：主電源
２：バックアップ電源用電池
３：電力供給先
４：電池残量検出部
５：表示部
６：制御部
７：記憶部（メモリ）
８：第１のダイオード
９：第２のダイオード
１０：ＣＰＵ
１１：Ｉ／Ｏポート
１２：バス
１３：スイッチ部
１４：電池残量表示クリアスイッチ
１５：プログラム
１６：プログラム
【図１】
2004032950.tif 000003
【図２】
2004032950.tif 000004
【図３】
2004032950.tif 000005
【図４】
2004032950.tif 000006
【図５】
2004032950.tif 000007
【図６】
2004032950.tif 000008
【図７】
2004032950.tif 000009
【図８】
2004032950.tif 000010
【図９】
2004032950.tif 000011
【図１０】
2004032950.tif 000012